(57)【要約】  【課題】  【解決手段】   組織片採取器（２０）と、組織片回収器（３０）と、ナノ移植セル（４０）を具える皮膚組織移植システム。このシステムは、約１００ミクロンのオーダでドナー部位から組織を採取することができる採取器を具えている。集積型組織片回収器（１０）は、外傷部位に室状包帯内にインサイチュウで培養するための、採取した組織を回収する手段を具えている。【選択図】    図１
2007507255.tif 000002
【特許請求の範囲】
【請求項１】
皮膚組織移植システムにおいて：
皮膚組織から組織片を切り取る組織片採取器アッセンブリと：
この組織片を受け取り、分離し、回収する組織片回収器と；
回収した組織片を収納して、皮膚組織移植を培養する室状包帯と；
を具えることを特徴とする皮膚組織移植システム。
【請求項２】
請求項１に記載の皮膚組織移植システムにおいて、前記組織片採取器アッセンブリが：
内部スペースを有する採取ハウジングであって、組織片を採取する皮膚組織サンプルと接続するため、および皮膚組織サンプルに対して適正な位置に組織切除ツールを保持するためのハウジングと；
切除面を有する組織切除ツールであって、組織サンプルに接続し、組織サンプルから適宜のサイズの組織片を切除する切除面を有する組織切除ツールと；
前記組織切除ツールを回転する駆動手段と；
を具えることを特徴とする皮膚組織移植システム。
【請求項３】
請求項２に記載の組織片採取器アッセンブリにおいて、前記採取器ハウジングが、組織サンプルの皮膚組織層に押し付けこれを受けるオリフィスを具えることを特徴とする組織片採取器アッセンブリ。
【請求項４】
請求項２に記載の組織片採取器アッセンブリにおいて、前記組織切除ツールが更に、前記駆動手段を係合する駆動端と、前記組織切除面を装着するツール端を有する回転可能なシャフトを具えることを特徴とする組織片採取器アッセンブリ。
【請求項５】
請求項３に記載の組織片採取器アッセンブリにおいて、前記組織切除面の一部が前記オリフィスから突出しており、前記オリフィスが、前記組織切除面が前記採取器から約０．０１〜０．９ｍｍの範囲で突出するように、前記採取器に調整可能に係合することを特徴とする組織片採取器アッセンブリ。
【請求項６】
請求項３に記載の組織片採取器アッセンブリにおいて、前記駆動端が前記採取器のオリフィスを介して、約０．０１〜０．９ｍｍの範囲の距離で、前記組織切除面の一部を突出させるように調整されることを特徴とする組織片採取器アッセンブリ。
【請求項７】
請求項２の組織片採取器アッセンブリにおいて、前記組織切除ツールが更に、前記駆動手段に係合する駆動端と、切除ドラムを装着するツール端を有する回転可能なシャフトを具え、前記切除ドラムが、前記回転シャフトのツール端と同軸に配置された軸を具え、前記組織切除面によって規定される外周面を具え、端部から端部までの幅が前記ハウジングの内側スペースの幅に緊密に受けることができることを特徴とする組織片採取器アッセンブリ。
【請求項８】
請求項２に記載の組織片採取器アッセンブリにおいて、前記組織切除ツールが更に、駆動手段を係合する駆動端と、切除ドラムを装着するツール端を有する回転可能なシャフトを具え、前記切除ドラムが前記回転シャフトのツール端に同軸に配置された軸を具え、前記ハウジングの内部スペースの幅で緊密に受け入れ可能な外周面と直径を有しており、前記回転シャフトの駆動端から遠位のドラム端部ディスクであって、前記組織切除面によって規定されるドラム端部ディスクを具えることを特徴とする組織片採取器アッセンブリ。
【発明の詳細な説明】
【技術分野】
【０００１】
本発明は、皮膚組織移植システムに関する。特に、本発明は、移植の目的で組織サンプルを取得し、処理し、回収し、適応するシステムに関する。
【背景技術】
【０００２】
伝統的な皮膚移植は、火傷部分などの損傷部位を覆うために、ドナー部位から皮膚組織を薄くスライスして切り取って行われている。いくつかの場合、皮膚組織のスライスは、サイズを大きくするために網状にして、網状移植片を作る。ドナー部位から組織を採取するのに使用する伝統的なデバイスには、ダーマトームがある。これは、多くの点でチーズスライサと同じように機能する。
【０００３】
伝統的な網状移植技術は、ドナー側に９０％の生存可能性（viability）を生むことが示されている。非網状シート移植については、ほとんどの場合シート移植の下に液体が蓄積するため、生存可能性は若干低くなる。移植の失敗の要因には、血行の悪さ、不潔な傷、移植用包帯による患者の感染、肥満、および喫煙などがある。更に、少なくとももほぼ１０％の症例において、ドナー部位で感染が生じる。このようなドナー部位の感染は、損傷部位における移植の失敗に関連しないものではあるが、これは患者と世話人の両方に問題を提供する。
【０００４】
伝統的な網状移植技術では、もっとも好ましい拡張比は６：１となる（例えば、１ｃｍ２のドナー部位は、６ｃｍ２の損傷部位をカバーすることができる）。９：１や、１２：１といったより高い比率が確実に可能であるが、このような比率では上皮形成が有意に遅れる。
【０００５】
１０：１以上の拡張比を達成するためにドナー組織を実際に細かく刻むミクロ移植技術が公知である。このような技術によれば、小さいドナー部位からより大きなカバレージ面積を得ることができる。しかしながら、伝統的な技術は扱いにくく、しばしば細胞の生存可能性が大きさと矛盾して、時に、損傷部位に適用するときには、細胞の５０％未満しか生存していないことがある。
【０００６】
従って、本発明の目的は、より簡単な移植手順を提供し、ミクロ移植の生存可能性（「生着」）を改善し、移植に先立ってより良好な創床を形成することによって、損傷部位での生体負荷（bio-burden）を低減し、網状移植に比較して移植の美しさを改善し、ドナー部位の大きさを低減することである。
【０００７】
本発明の更なる目的は、従来の網状移植手術に比べてドナー部位の大きさを有意に低減すること；従来の網状移植手術に比べて移植部位の瘢痕を小さくすること；移植部位の組織の柔軟性を改善すること；現在の方法に比較して移植部位の外観の美しさを改善すること；移植の「生着」を改善することである。
【０００８】
本発明の更なる目的は、従来の網状移植に比べて、治癒期間を延ばすことなく、手術の完了に必要な費用と時間を低減する移植技術を提供することである。
【０００９】
上述の目的によれば、本発明は、一般的に、ドナー部位から組織を得る皮膚採取器と、この採取器から組織を回収する組織粒子回収器と、損傷部位でインサイチュウで回収した組織を増殖する室付包帯（chambered dressing）とを具える。
【００１０】
上記は、より関連性の高い本発明の目的のいくつかの概念を述べたものである。これらの目的は、単に本発明のより卓越した特徴のいくつかを記載しただけのものと解釈するべきである。以下に述べるように、様々な方法で本発明を適用することで、あるいは、本発明を変更することで、その他多くの利益のある結果を得ることができる。従って、本発明のその他の目的および完全な理解は、好ましい実施例を含む以下に述べる本発明の記載を参照することによって可能である。
【００１１】
本発明のこれらの特徴及びその他の特徴ならびに利点を、好ましい実施例の図面を参照して述べる。この実施例は、説明のためのものであり、本発明を限定するものではない。また、同じ符号は同じ部品を引用している。
【００１２】
当業者は、多くの代替の実施例を考えることができるが、特に、ここに提供されている説明に照らして、この詳細な説明は、本発明の好ましい実施例および代替の実施例の例示的なものであり、その範囲は、特許請求の範囲によってのみ限定される。
【００１３】
図面を参照すると、本発明の好ましい実施例の詳細を図的におよび概略的に示している。図面中の同様の要素には同じ符号が付されており、類似する要素には、同じ符号のサフィックス付きのものが付されている。
【００１４】
図１に示すように、本発明の皮膚組織ナノ移植システム１０は、３つの主部分；皮膚組織から組織片を切り取る組織片採取器アッセンブリ２０と；この組織片を受け取って、分離し、回収する組織片回収器３０と；この回収した組織片を受け取り、皮膚組織移植の成長を培養する室付包帯の形状をしたナノ移植セル４０と；を具える。回収される組織の理想的なサイズは、約５０−３００ミクロンであり；中心組織片サイズは約１００ミクロンである。組織片採取器アッセンブリ２０は、皮膚組織源から適当なサイズ範囲の組織片を摘出する。組織片回収器３０は、採取した組織片を受け取って、回収し、適正な環境にこれらの組織片を保持して、ナノ移植セル４０にこの組織片を植えつける前のその生存可能性を維持する。本発明のナノ移植セル４０は、一種の組織培養デバイスであって、皮膚移植部位にインサイチュウで皮膚移植組織を成長させるものである。ナノ移植セル４０に用いることができる例示的デバイスは、１９９２年１０月６日に、Erikssonに付与された米国特許第５，１５２，７５７号、「傷の診療および治療システム」、及び、２００２年２月１１日にJohnson et al. によって出願された米国暫定特許出願第１０／３６１，３４１号、「組織処置用環境コントロールデバイス」に記載されており、これらの開示はここに引用として完全に記載されている。
【００１５】
図２に示すように、組織片採取器アッセンブリ２０は、採取器ハウジング５０と、組織切除ツール９０と、駆動手段１６０とを具える。図３に例示するように、採取器ハウジング５０は、内部スペース５６にアクセスする組織開口５４を供え、この中に組織切除ツール９０を収納している。図４Ａおよび４Ｂに更に例示されているとおり、採取器ハウジング５０は、皮膚組織源１４に境界を接しており、そこから組織片が採取される。また、組織切除ツール９０を皮膚組織１４に対して正しい位置に保持している。採取器ハウジング５０の組織開口５４は、組織源１４の皮膚組織層に対して押圧され、皮膚組織を受け取るオリフィスとして作用する。
【００１６】
皮膚組織源１４に対する切除ツール９０の正しい位置は、皮膚組織１４の層内への切除ツール９０の貫通深さに関係する。切除ツール９０の適正な位置決めは、好適なサイズの組織片の摘出を容易にする。組織１４の表面内への切除ツール９０の貫通深さは、使用する切除ツール９０の型に応じて、約０．０１ｍｍから約０．９ｍｍの範囲であり、好ましくは、約０．１ｍｍ＋／−０．０５ｍｍである。貫通深さは、ハウジング５０内の組織開口５４への切除ツールの近傍の調整を含めて、いくつもの好適な手段によって、及び、切除ツール９０の切除特性１１４の切除面１１８（図５Ｂ参照）を調整することによって、変更することができる。切除特性１１４の切除面１１８は、ツール９０の切除表面９４を越えて切除特性１１４の届く範囲である。採取器ハウジング５０は、切除ツールの近傍をハウジング５０内の組織開口５４に対して調整する深さ調整手段を具えていても良い。このような調整手段は公知であり、当業者が本採取器アッセンブリ２０において実行可能である。例えば、図３に示すように、このような調整手段５８は、組織開口５４の端部を切除ツール９０に近づけたり遠ざけたりして移動させることによって行うことができる。
【００１７】
図５Ａおよび５Ｂに例示するように、組織切除ツール９０は、切除面９４と切除特性１１４を具える。切除特性は、切除面９４から突出して組織源１４に当たり、切除ツール９０が回転するときに所定のサイズの組織片を組織１４から切除するあるいは削り取る。回転シャフト９６は、ツール９０からその回転軸１００に沿って延在している。回転シャフト９６は、駆動手段に係合する駆動端９６ａと、切除面９４を装着するツール端９６ｂを有する。切除ツールシャフト駆動端９６ａは、駆動手段１６０（図１０Ｂおよび１８Ａと１８Ｂ参照）によって受けて、切除ツール９０の回転を伝達することができる。図５Ａおよび５Ｂに示す回転ドラム型の切除ツール９０ａは、駆動端９６ａの反対側にツール９０から回転軸１００に沿って延在するツール端シャフト９６ｂを有する。図５Ａおよび５Ｂでは、ツール９０のドラムは、回転シャフト９６の軸１００と同軸に配置された軸を有する。
【００１８】
回転ドラム型切除ツール９０ａの切除面９４は、当業者によって選択可能な様々な切除特性１１４のいずれかで実行することができる。図５Ａおよび５Ｂでは、切除特性は複数の鋭利なフィンガ１１４ａであり、このフィンガは、スペースを開けて列をなして切除面９４から突出して、のこぎり歯１１５を形成している。ドラム型切除ツール９０ａの上に設けることができるその他の型の切除特性１１４は：回転ドラム型切除ツール上の「ＴＩ」型切除特性１１４ｂ（図６参照）；回転ドラム型切除ツール上のハイポチューブを具える「スカロップ」型切除特性１１４ｃ（図７Ａ及び７Ｂ参照）；及び「角型スカロップ」型切除特性１１４ｄ（図８参照）と、「円形スカロップ」型切除特性１１４ｅ（図９参照）がある。双方とも、回転ドラム型切除ツール９０ａの切除面に使用することができる。
【００１９】
本発明の採取器アッセンブリ２０に用いることのできる組織切除ツール９０が、みな回転ドラム型切除ツール９０ａであるとは限らない。例えば、回転シャフト切除ツール９０ｂ（図１０~１４参照）を使用することもできる。図１０Ａに例示されているように、回転シャフト切除ツール９０ｂは、駆動手段１６０に係合する駆動端１２２と、組織切除面１２６と切除特性１２８を装着するツール端１２４を有する回転シャフト１２０を具える。図１０Ａおよび１０Ｂは、回転シャフト型組織切除ツール９０ｂと採取器ハウジング１３０、及びある種の組織採取器アッセンブリ２０ｂ内に組み込まれ、駆動手段１６０に連結されている回転シャフト型ツール９０ｂを示している。ツール９０ｂは、サイド切除刃特性１２８を有し、せん断ブロック型採取器ハウジング１３０に組み込むことができる。回転シャフト型の組織切除ツール９０ｂのその他の構成は、本発明の採取器アッセンブリ２０ｂ中に用いることができる。例としては：微細スカロップハイポチューブ回転シャフト型組織切除ツール（図１１）；コーススカロップハイポチューブ回転シャフト型組織切除ツール（図１２）；コーススカロップ固体シャフト型組織切除ツール（図１３）；および代替のサイド切除刃シャフト型組織切除ツール（図１４）；などがある。
【００２０】
エンドミル型切除ツール９０ｃ（図１５参照）などその他の型の切除ツール９０も、本発明に用いることができる。上述した回転ドラム組織切除ツール９０ａと回転シャフト組織切除ツール９０ｂは、駆動端９６ａとツール端９６ｂの双方を有することができる。しかしながら、エンドミル型の切除ツール９０ｃは、シャフト駆動端９６ａのみを有する。回転エンドミル切除ツール９０ｃは、駆動手段１６０に係合する駆動端９６ａを有する回転シャフト１３２（図１０Ｂ）と、切除ドラム１３６を装着するツール端９６ｂを具える。切除ドラム１３６は筒状であり、駆動及びツールシャフト端９６ａと９６ｂと同軸に配置された軸を有する。ツール端９６ｂは、切除ドラム１３６の一方の端部に取り付けられており、切除ドラム１３６の他端は組織切除面１３８を装着している。組織切除面は、上述した回転ドラム型カッタ９０ａ上に設けたものと同様の切除特性１１４を有するように構成することができる。当業者は、前記切除特性１１４を本発明１０の回転エンドミル切除ツール９０ｃの切除面１３８上に容易に選択して組み込むように適用することができる。ドラム１３６は、深さ整列手段１４２に関連するエンドミルハウジング１４０の内部空間の幅に密着して受け入れ可能な外周面を有している。図１５に示すエンドミル組織切除ツール９０ｃの切除ドラム１３６は、その組織切除面１３８近傍のテーパ付シリンダである。このテーパの利点は、遠心力によって、切除面１３８を通過してゆく削り取った組織片のドラム内部へ（仮想線で示す）の移動、及び内壁上へおよび切除面１３８から離す移動が容易になることである。このことによって、切除特性１１４が削り取った組織片で詰まることを防止できる。
【００２１】
図１６および１７に示すように、代替の切除ツール９０を用いることができる。このツールは、変形ラフ切除エンドミル１４８とのこぎり歯を具えるレザーカッタ１５０を具える。このような変形エンドミル１４８は、図１５に示すような典型的なエンドミル切除ツールの切除特性を示すが、変形エンドミル１４８は、図５Ａに示す回転シャフトカッタと同様に、筒状形状と、駆動およびツールシャフト９６ａ及び９６ｂと同軸に配置された軸１００を有する。駆動手段１６０は、典型的には、採取器ハウジング５０及び１４０内で組織切除ツールを回転させるある種の駆動モータ（例えば電気式または空気式）である。駆動手段１６０は、採取器ハウジング５０と１４０と一体型（図１８Ａおよび１８Ｂ参照）であっても良く、別体（図１０Ｂ参照）であっても良い。ハンドル１６２はハウジング５０に連結するか、あるいはハウジング５０を形成して、ユーザがより容易に移植を行い、採取アッセンブリ２０を位置決めできるようにしても良い。
【００２２】
図１９に示すように、カッタ９０内にポート１７０が設けられており、カッタ９０によって回収された組織をハウジング５０の外に抜き取る。ポート１７０は、本実施例では、回転軸沿いにカッタ９０の中央に示されているが、ハウジングから組織を取り出すには多数のメカニズムが想像されると考えられる。以下にこれについて述べる。ハウジングの装着部１６６を設けて、採取器２０を操作している間のユーザに安定と支持を提供する。スキッド板１６４を設けて、組織部位におけるカッタ９０の位置決めを容易にし、更に、特に楔スタック５９、あるいは公知のその他の調整手段がカッタ９０の外部に設けられている場合は、カッタ９０の深さの調整を援助する。
【００２３】
図２０Ａ、２０Ｂ、２０Ｃは、組織片回収器３０を示しており、これはカッタ９０の駆動手段内あるいは近傍に配置されたポート１７０を具えていても良く、また、シリンジなどの組織片回収器１７２によってアクセスすることができる。組織片回収器１７２は、図１に示すようにナノ移植セル４０内に回収した組織を注入するまたはしみこませるのに使用することができる。様々な媒質を用いて、組織を組織片回収器３０、次いでナノ移植セル４０内に懸濁させることができる。このような媒質には塩水があるが、これに限る必要はない。
【００２４】
組織片採取器から組織を回収する組織片回収器３０の代替の実施例を図２１ないし２７に示す。図２１Ａに示すとおり、別個のフラッシング容器１８０を用いて、カッタ９０から組織を回収するようにしても良い。カッタ９０は、採取器ハウジング５０（図２）から取り外して、フラッシング容器１８０に入れる。キャップ１８２またはその他のカバーを、容器１８０にねじ込むまたは固着する。次いで、塩水などの液状媒体が、キャップ１８２と一体化されているポート１８４またはルアーを介して流されるか、あるいは容器１８０内に導入され、噴流１８６、または容器１８０内のチャネルによってカッタ９０の内径または外径の方へ向けられる。
【００２５】
図２１Ｂに示すように、一体型のフラッシング容器１９０では、ハウジング５０からカッタ９０を取り除くことなく、組織の回収が可能である（図２）。この実施例では、カッタ９０が、固体を充填したコアを有する。ドナー部位から組織が切り取られた後に、ガスケットを設けたキャップ１９２が、ガスケット付キャップ１９２用のレセプタを有するハウジング５０である一体型フラッシング容器１９０の上にはめ込まれる。カッタ９０を正しく配置したハウジング５０は、組織片採取器２０から除り外され、塩水などの液体が、ルアー取り付け部１９４またはポートを介してフラッシング容器１９０に注入される。フラッシング容器１９０は、手、または公知の機械的攪拌機を用いて手動で攪拌される。攪拌後、カッタ９０で切り取られた組織が注入した液体内に浮遊して、その時点で、シリンジまたは公知の同様のデバイスによってルアー取り付け部１９４を介して一体型フラッシング容器１９０から抜き取られる。
【００２６】
一体型フラッシング容器１９０の代替の実施例が図２１Ｃに記載されている。コアを充填したカッタ９０を用いて、ドナー部位から組織を切除する。シリコーンまたは物理的特性が同様である材料でできているキャップ１９６を、ハウジング５０の開切除面上に配置する。ハウジングは、塩水などの溶液注入用ルアーを具えており、カッタ９０のモータを稼動することによって攪拌される。攪拌の結果、液体中のカッタ９０で切断された組織懸濁液となり、次いでこの懸濁液がシリンジまたは同様のデバイスによってルアー１９４を介して抜き取られて、ナノ移植セル４０に送られる。
【００２７】
カッタ９０からの組織の回収も、図２２に示されるように、刷毛付きプランジャ２００を使用することによって完遂される。刷毛付プランジャ２００は、中空コアを有するカッタ９０の内径に挿入することができる。カッタ９０によって組織を回収した後、手動であるいは機械的に、プランジャ２００がカッタ９０の内径内に移動する。プランジャが、カッタ９０の内径から取り出されるときに刷毛２０２がカッタ９０の内径に回収された組織を掃きだす。プランジャ２００は、カッタ９０から回収した組織の懸濁液用に塩水などの液体を満たした隣接する容器（図示せず）内に引き込むことができる。ルアー（図示せず）は、シリンジまたは同様のデバイスによって組織懸濁液の抜き取り用および組織回収に先立っての液体注入用に、隣接する容器内に組み込むことができる。
【００２８】
図２３に示すように更なる代替の実施例では、標準的なプランジャ２１０がカッタ９０アッセンブリのシャフト２１２に載置されている。シャフト２１２、プランジャ２１０、およびカッタ９０は、採取器アッセンブリ２０の動作中に、すべて一緒に回転する。カッタ９０によってドナー部位から組織を切除した後に、プランジャ２１０がカッタ９０の内径を横切って取り外し可能なエンドキャップ２１４に向けて移動する。エンドキャップ２１４は採取器アッセンブリ２０から取り外され、シリンジによってあるいは当業者に公知の他のプロセスによって組織を取り除く、あるいは流し出すことができるようにする。
【００２９】
組織片回収器３０の更なる実施例は、図２４に示すような内部フラッシングチャネル２２０である。内部コア２２２は、カッタ９０内に配置されている。カッタ９０が回転している間、コア２２２は静止を保ち、カッタ９０の内径にしっかり固定されている一方で、カッタ９０の自在な回転を許容している。組織はカッタ９０の動作中にカッタ内の開口２２４を介してチャネル２２０に入る。カッタの動作中にチャネル２２０を介して液体が回収チャンバ（図示せず）へ流され、後の損傷部位へと移動する。カッタ９０が動作しているときもチャネル２２０を介して流体を流すようにしても良いと解すべきである。
【００３０】
図２５は、ドナー部位から取り除いた後に、カッタ９０から組織片を回収するのに使用できるスプリング負荷プランジャ２３０を示す。スプリング負荷プランジャ２３０は、カッタ９０の静止コア２３６の切除スクープ２３４の溝２３２内に位置している。ドナー部位から組織を回収した後、プランジャ２３０が飛び出して溝２３２から組織片を取り除くまで、コア２３６が半径方向に移動する、あるいは代替的に軸方向に移動する。プランジャ２３０は、カムで、あるいは当業者に用いられている同様の機構で始動して、溝２３２内に回収された組織を抽出する。
【００３１】
組織は、図２６に示すように、静的内部スクリュ２４０によって採取器２０から取り除かれる。逆アルキメデスのスクリュとして当業者に記載されているこのようなスクリュ２４０は、カッタ９０の内径内に配置されている。カッタ９０は、回転して、カッタ開口２４２内に組織を引き込まれて、静的内部スクリュ２４０がカッタ９０の内径をぬぐうことによって、組織片を回収用カッタの一端に移動させる。カッタ９０の内径をぬぐい、カッタ９０の一端に組織を移動させて回収するために、組織が回収された後にスクリュ２４０が挿入されることが考えられる。
【００３２】
手動での攪拌を行って、カッタ９０で回収した組織を取り除くこともできると理解される。カッタ９０は採取器２０から取り除かれ、塩水または同様の液体などの容器保持液内に置かれる。カッタ９０を容器内で回転させて、液体内へ組織片を移動させる。次いで、容器に遠心分離を行って、液体から組織片を分離するか、あるいは代替的に液体をフィルタにかけて、組織を液体から取り除く。
【００３３】
上述の記載は、多くの特定事項を含んでいるが、本発明の範囲を限定するものと介するべきではなく、むしろ一のまたはその他の好ましい実施例の例示であると考えるべきである。当業者に明らかな多くのその他の変形例が可能である。従って、本発明の範囲は、特許請求の範囲およびこの均等物によってのみ決定すべきであり、実施例によって決まるものではない。
【図面の簡単な説明】
【００３４】
【図１】図１は、本発明の皮膚組織ナノ移植システムを概略的に示すブロック図である。
【図２】図２は、本発明の組織採取アッセンブリを概略的に示すブロック図である。
【図３】図３は、組織切除ツールを受ける内部スペースを示す採取器ハウジングの断面図である。
【図４Ａ】図４Ａは、採取すべき組織源とのハウジングの境界を示す採取器ハウジングの前側断面図である。
【図４Ｂ】図４Ｂは、採取すべき組織源とのハウジングの境界を示す採取器ハウジングの前側断面図である。
【図５Ａ】図５Ａは、回転シャフト型組織カッタの斜視図を示す図である。
【図５Ｂ】図５Ｂは、回転シャフト型組織カッタの端面図を示す図である。
【図６】図６は、本発明の回転ドラム型切除ツール上の「ＴＩ」型の切除特性を示す図である。
【図７Ａ】図７Ａは、本発明の回転ドラム型切除ツールの切除面に用いられる「スカロップ」型切除特性を示す図である。
【図７Ｂ】図７Ｂは、本発明の回転ドラム型切除ツールの切除面に用いられる「スカロップ」型切除特性を示す図である。
【図８】図８は、本発明の回転ドラム型切除ツールの切除面に用いられる「矩形スカロップ」型切除特性を示す図である。
【図９】図９は、本発明の回転ドラム型切除ツールの切除面に用いられる「円形スカロップ」型切除特性を示す図である。
【図１０Ａ】図１０Ａは、回転シャフト型組織カッタツールと採取器ハウジングを示す図である。このツールは、本発明のせん断ブロック型の採取器ハウジング内に組み込まれているサイド切除刃である。
【図１０Ｂ】図１０Ｂは、ある型の組織採取アッセンブリに組み込んだ回転シャフト型ツールを示す図である。このツールは、本発明のせん断ブロック型の採取器ハウジング内に組み込まれているサイド切除刃である。
【図１１】本発明のハイポチューブ回転シャフト型の組織カッタツールを示す図である。
【図１２】図１２は、本発明のコーススカロップハイポチューブ回転シャフト型組織カッタツールを示す図である。
【図１３】図１３は、本発明のコーススカロップ固体シャフト型組織カッタツールを示す図である。
【図１４】図１４は、本発明の別のサイド切除刃シャフト型組織カッタツールを示す図である。
【図１５】図１５は、本発明のエンドミル型の組織採取器アッセンブリのハウジング及び組織カッタツールの部分的断面図である。
【図１６】図１６は、本発明の変形ラフ切除エンドミルカッタツールの斜視図である。
【図１７】図１７は、本発明ののこぎり歯カッタツールを有するレザーカッタの斜視図である。
【図１８Ａ】図１８Ａは、本発明の、一体型駆動手段を設けた回転ドラムカッタ型の組織採取アッセンブリの平面斜視図を示す。
【図１８Ｂ】図１８Ｂは、本発明の、一体型駆動手段を設けた回転ドラムカッタ型の組織採取アッセンブリの底面斜視図を示す。
【図１９】図１９は、本発明の採取器アッセンブリのカッタハウジング領域を示す断面図である。
【図２０Ａ】図２０Ａは、使用中の組織片採取器および回収器を横方向から見た図である。
【図２０Ｂ】図２０Ｂは、使用中の組織片採取器および回収器を横方向から見た図である。
【図２０Ｃ】図２０Ｃは、使用中の組織片採取器および回収器を横方向から見た図である。
【図２１Ａ】図２１Ａは、本発明の別のフラッシュコンテナ組織片回収器を示す断面図である。
【図２１Ｂ】図２１Ｂは、本発明の別のフラッシュコンテナ組織片回収器を示す断面図である。
【図２１Ｃ】図２１Ｃは、本発明の別のフラッシュコンテナ組織片回収器を示す断面図である。
【図２２】図２２は、本発明の刷毛付プランジャ組織片回収器を示す断面図である。
【図２３】図２３は、本発明の標準プランジャ組織片回収器を示す断面図である。
【図２４】図２４は、本発明の組織片回収器の内部フラッシュチャネルの実施例の断面図である。
【図２５】図２５は、本発明のスプリング式プランジャ組織片回収器を示す断面図である。
【図２６】図２６は、本発明の静的内部スクリュ組織片回収器を示す断面図である。
【図１】
2007507255.tif 000003
【図２】
2007507255.tif 000004
【図３】
2007507255.tif 000005
【図４Ａ】
2007507255.tif 000006
【図４Ｂ】
2007507255.tif 000007
【図５Ａ】
2007507255.tif 000008
【図５Ｂ】
2007507255.tif 000009
【図６】
2007507255.tif 000010
【図７Ａ】
2007507255.tif 000011
【図７Ｂ】
2007507255.tif 000012
【図８】
2007507255.tif 000013
【図９】
2007507255.tif 000014
【図１０Ａ】
2007507255.tif 000015
【図１０Ｂ】
2007507255.tif 000016
【図１１】
2007507255.tif 000017
【図１２】
2007507255.tif 000018
【図１３】
2007507255.tif 000019
【図１４】
2007507255.tif 000020
【図１５】
2007507255.tif 000021
【図１６】
2007507255.tif 000022
【図１７】
2007507255.tif 000023
【図１８Ａ】
2007507255.tif 000024
【図１８Ｂ】
2007507255.tif 000025
【図１９】
2007507255.tif 000026
【図２０Ａ】
2007507255.tif 000027
【図２０Ｂ】
2007507255.tif 000028
【図２０Ｃ】
2007507255.tif 000029
【図２１Ａ】
2007507255.tif 000030
【図２１Ｂ】
2007507255.tif 000031
【図２１Ｃ】
2007507255.tif 000032
【図２２】
2007507255.tif 000033
【図２３】
2007507255.tif 000034
【図２４】
2007507255.tif 000035
【図２５】
2007507255.tif 000036
【図２６】
2007507255.tif 000037
【国際調査報告】
2007507255.tif 000038